(57)【要約】【課題】  洗濯機設置台上に設置している洗濯機の外箱下端と洗濯機設置台との間の隙間が狭くても、左右に隣接する洗濯機設置台間の空間部を閉塞しているダストカバーの着脱が簡単且つ円滑に行える洗濯機用防水パンを提供する。【解決手段】    防水パン本体１の底板２の四隅部上に洗濯機設置台３を突設していると共に左右に隣接する洗濯機設置台３、３間の空間部４を幕板5aとこの幕板5aの上端から下方に突設している被覆板5bとを有するダストカバー５によって閉塞している防水パンにおいて、洗濯機Ａの外箱A1の前面下端から前方に突出する洗濯機設置台３、3 の対向面上端縁における前端部に軸受凹部７、7 を設けている一方、ダストカバー５の被覆板5bの両側端面の前端にこの軸受凹部７、7 に嵌脱自在に嵌合した短軸体８、8 を突設している。【選択図】  図２
2018080448.tif 000002
【特許請求の範囲】
【請求項１】
矩形状の底板の四隅部上に一定高さの洗濯機設置台を突設してなる防水パン本体と、この防水パン本体の前後左右に隣接する上記洗濯機設置台における少なくとも前側に配設された左右の洗濯機設置台の対向する内側面間の空間部に着脱自在に配設されてこの空間部を閉塞したダストカバーとからなる洗濯機用防水パンにおいて、洗濯機設置台上に洗濯機を設置した際に、洗濯機の前面下端から前方に突出する位置にある上記左右の洗濯機設置台の前部における対向する内側上端縁の前端部に軸受凹部を設けている一方、上記ダストカバーは上記左右の洗濯機設置台の前面間の空間部を閉塞する幕板とこの幕板の上端から後方に向かって突設し、上記左右の洗濯機設置台の上面間の空間部を閉塞する被覆板とを備え、この被覆板の前端部における両側端面に、上記軸受凹部に嵌脱自在に嵌合する短軸体を突設していることを特徴とする洗濯機用防水パン。
【請求項２】
洗濯機設置台上に洗濯機を設置した際に生じる洗濯機の前面下端とダストカバーの被覆板の上面との間の空隙幅は、洗濯機設置台に設けている上記軸受凹部に対するダストカバーの被覆板に突設している短軸体の嵌合深さと同等ないしは狭い幅に形成していることを特徴とする請求項１に記載の洗濯機用防水パン。
【請求項３】
ダストカバーにおける幕板の上端に、洗濯機設置台上に洗濯機を設置した際に生じる洗濯機の前面下端とダストカバーの被覆板の上面との間の空隙幅よりも突出高さが高い突条を突設していることを特徴とする請求項１に記載の洗濯機用防水パン。
【請求項４】
隣接する洗濯機設置台の下端部間における防水パンの底板の縁辺に防水壁を突設している一方、ダストカバーの幕板の下端に上記防水壁の内壁面に当接した可撓性を有する薄い垂下片を突設していることを特徴とする請求項１に記載の洗濯機用防水パン。
【請求項５】
隣接する洗濯機設置台の下端部間における防水パンの底板の縁辺に防水壁を突設していると共にこの防水壁の上端に、その内面でダストカバー幕板の下端部外面を受止させた妄動阻止片を突設していることを特徴とする請求項１に記載の洗濯機用防水パン。
【発明の詳細な説明】
【技術分野】
【０００１】
本発明は、洗面所や脱衣所等に設置される洗濯機の設置用防水パンに関する。
【背景技術】
【０００２】
洗濯機には、縦型洗濯機や回転ドラム式の洗濯機があるが、回転ドラム式洗濯機は、洗濯物の投入、取出口が縦型洗濯機よりも低い位置にあるため、この回転ドラム式洗濯機を設置する防水パンにおいては、その底板の四隅部上に一定高さの洗濯機設置台を設けてこれらの洗濯機設置台上に回転ドラム式洗濯機の底面における四方に突設している脚体を設置することによってその洗濯物の投入、取出口を縦型洗濯機の洗濯物の投入、取出口と同等な高さ位置となるようにして洗濯物の出し入れが腰をかがめることなく容易に行えるように構成している。
【０００３】
４
また、このように構成した防水パンにおいては、前後左右に隣接する洗濯機設置台の対向面間に空間部が設けられ、この空間部を通じて外部から塵埃等が侵入する虞があると共に外観を損するので、例えば、特許文献１に記載されているように、上記空間部を幕板とこの幕板の上端から後方に向かって水平状に突設して被覆板（枠板部）とからなるダストカバーによって閉塞している。
【０００４】
この際、上記空間部を通じて防水パン内の清掃や防水パンの底板に設けている排水口の保守、点検等を可能にするため、上記ダストカバーを上記空間部に対して着脱自在に装着している。
【０００５】
このダトスカバーの装着構造としては、上記特許文献１に記載しているように、底板の四隅部上に設けられている洗濯機設置台において、例えば、前側に配設された左右の洗濯機設置台間の空間部を閉塞するダストカバーにあっては、その被覆板の両側端面における後端部に短い角軸状の突片を突設する一方、上記左右の洗濯機設置台の対向内側面における上端縁辺の後端部に凹部を設けてあり、これらの凹部に上記ダストカバーの被覆板における両側端面に突設した突片をそれぞれ着脱可能に上方から嵌合させ、且つ、ダストカバーの幕板の下端面を防水パンの底板の周壁における前端側の周壁部上端面に当接、受止させた構造としている。
【先行技術文献】
【特許文献】
【０００６】
【特許文献１】特開２００７−０５６５１１号公報
【発明の概要】
【発明が解決しようとする課題】
【０００７】
しかしながら、上記のように構成したダストカバーの装着構造では、防水パンの四隅部上に設けている洗濯機設置台上に洗濯機を設置した状態で、このダストカバーを隣接する洗濯機設置台間の空間部から取り外すには、ダストカバーを持ち上げてその被覆板の両側端面における後端部に突設した突片を左右に隣接する洗濯機設置台の対向内側面における上端縁辺の後端部に設けた凹部から離脱させなければならないが、洗濯機の外底面の下方において、ダストカバーの被覆板の両側端面における後端部に突設している突片を上記左右の洗濯機設置台の対向内側面における上端縁辺の後端部に設けている凹部に嵌合させているために、洗濯機の外底面と洗濯機設置台間に配設しているダストカバーの被覆板の上面との間の空隙が上記凹部に係合している突片の嵌合深さよりも狭いと、突片が凹部から外れる前にダストカバーの被覆板の上面が洗濯機の外底面に当接してダストカバーを取り外すことができない。
【０００８】
同様に、防水パンの四隅部に設けている洗濯機設置台上に防水パンを設置した状態で、隣接する洗濯機設置台間の空間部にダストカバーを装着しようとしても、ダストカバーを洗濯機の外底面に沿って挿入する際に、ダストカバーの被覆板の両側端面に突設している上記突片の下端面が左右に隣接する洗濯機設置台の設置面上に当接してダストカバーの挿入を妨げ、被覆板を水平状にして装着することができなくなる。そのため、防水パン内の清掃や防水パンの底板に設けている排水口の保守、点検等を行うには、防水パンの洗濯機設置台上から洗濯機を一旦、撤去したのち、ダストカバーの着脱作業を行わなければならないといった問題点が生じることになる。
【０００９】
このような問題点は、ダストカバーにおける上記被覆板の配設高さを低くして洗濯機設置台上に設置される洗濯機の外底面とダストカバーの被覆板の上面との間の空隙幅を大きくすれば解消できるが、そうするとその空隙を通じて塵埃等が防水パン内に入り込み、ダストカバーとしての機能を果たすことができなくなるばかりでなく、ダストカバーにおける上記被覆板の配設高さが低いと、防水パンの底板に設けている排水口を通じて床下側の排水管に排水するための洗濯機の排水ホースを防水パンの底板上に敷設することが困難になるといった問題点が発生する。
【００１０】
本発明はこのような問題点に鑑みてなされたもので、その目的とするところは、防水パンにおける隣接する洗濯機設置台の対向する内側面に設けた軸受凹部に、ダストカバーにおける被覆板の両側端面に突設した短軸体を上方から着脱自在に嵌合させることによって上記隣接する洗濯機設置台の対向面間の空間部をダストカバーによって隠蔽するように構成した洗濯機用防水パンにおいて、洗濯機の外底面とダストカバーの被覆板の上面との間の空隙が、上記軸受凹部に対する短軸体の嵌合深さよりも狭くてもダストカバーの着脱が確実且つ円滑に行うことができると共に、上記空隙をできるだけ狭くして外部からの防水パン内への塵埃等の侵入を阻止することができ、且つ、防水パンの底板上に洗濯機の排水ホースを容易に敷設し得る広い空間を設けることができる洗濯機用防水パンを提供するにある。
【課題を解決するための手段】
【００１１】
上記目的を達成するために本発明の洗濯機用防水パンは、請求項１に記載したように、矩形状の底板の四隅部上に一定高さの洗濯機設置台を突設してなる防水パン本体と、この防水パン本体の前後左右に隣接する上記洗濯機設置台における少なくとも前側に配設された左右の洗濯機設置台の対向する内側面間の空間部に着脱自在に配設されてこの空間部を閉塞したダストカバーとからなる洗濯機用防水パンにおいて、洗濯機設置台上に洗濯機を設置した際に、洗濯機の前面下端から前方に突出する位置にある上記左右の洗濯機設置台の前部における対向する内側上端縁の前端部に軸受凹部を設けている一方、上記ダストカバーは上記左右の洗濯機設置台の前面間の空間部を閉塞する幕板とこの幕板の上端から後方に向かって突設し、上記左右の洗濯機設置台の上面間の空間部を閉塞する被覆板とを備え、この被覆板の前端部における両側端面に、上記軸受凹部に嵌脱自在に嵌合する短軸体を突設していることを特徴とする。
【００１２】
このように構成した洗濯機用防水パンにおいて、請求項２に係る発明は、洗濯機設置台上に洗濯機を設置した際に生じる洗濯機の前面下端とダストカバーの被覆板の上面との間の空隙幅は、洗濯機設置台に設けている上記軸受凹部に対するダストカバーの被覆板に突設している短軸体の嵌合深さと同等ないしは狭い幅に形成していることを特徴とする。
【００１３】
請求項３に係る発明は、ダストカバーにおける幕板の上端に、洗濯機設置台上に洗濯機を設置した際に生じる洗濯機の前面下端とダストカバーの被覆板の上面との間の空隙幅よりも突出高さが高い突条を突設していることを特徴とする。
【００１４】
請求項４に係る発明は、隣接する洗濯機設置台の下端部間における防水パンの底板の縁辺に防水壁を突設している一方、ダストカバーの幕板の下端に上記防水壁の内壁面に当接した可撓性を有する薄い垂下片を突設していることを特徴とし、請求項５に係る発明は、上記防水パンの底板の縁辺に突設した防水壁の上端に、その内面でダストカバー幕板の下端部外面を受止させた妄動阻止片を突設していることを特徴とする。
【発明の効果】
【００１５】
請求項１に係る発明によれば、防水パンの底板の四隅部上に突設した洗濯機設置台上に洗濯機を設置した際に、この洗濯機の前面から前方に突出する位置にある前側の左右洗濯機設置台の前部における対向する内側上端縁の前端部に軸受凹部を設けている一方、上記左右の洗濯機設置台の前面間の空間部を閉塞する幕板とこの幕板の上端から後方に向かって突設し、上記左右の洗濯機設置台の上面間の空間部を閉塞する被覆板とを備えたダストカバーにおける被覆板の前端部における両側端面に、上記軸受凹部に嵌脱自在に嵌合する短軸体を突設しているので、洗濯機設置台上に洗濯機を設置した状態で、ダストカバーの幕板を持ち上げると、上記軸受凹部と短軸体との嵌合部に対して後方部に位置するダストカバーの被覆板の前部上面が洗濯機の外箱の前面下端に当接したのち、この当接部を支点としてダストカバーの被覆板の後部が防水パンの底板上方の空間部内に下がり、被覆板の前部が洗濯機の下端部前方の空間に向かって上動することになる。
【００１６】
従って、ダストカバーの被覆板の前端部における両側端面に突設している短軸体が、洗濯機の外箱に何等邪魔されることなく、左右洗濯機設置台の前部における対向する内側上端縁の前端部に設けている軸受凹部から洗濯機の下端部前方の空間に向かって簡単且つ確実に離脱させることができ、防水パン内の清掃や防水パンの底板に設けている排水口の保守、点検等を行う際のダストカバーの取り外し操作を円滑に行うことができる。
【００１７】
このように、左右の洗濯機設置台間の空間部を閉塞しているダストカバーの取り外し操作は、その被覆板の前部上面を洗濯機の外箱の前面下端に当接させた状態にしてその当接部を支点としてダストカバーの幕板を持ち上げ、テコ作用によってダストカバーの被覆板の前端部両側端面に突設している短軸体を左右洗濯機設置台の前部における対向する内側上端縁の前端部に設けている軸受凹部から離脱させるので、洗濯機設置台上に設置した洗濯機の前面下端とダストカバーの被覆板の上面との間の空隙幅が殆ど設けられていなくても、ダストカバーの上記取り外し操作が円滑且つ確実に行うことができる。
【００１８】
そのため、洗濯機の外郭を構成する直方体状の外箱の下端部を下方に延ばして洗濯機の脚体を体裁よく被覆している洗濯機に対しては好適に使用できる防水パンとして提供することができるばかりでなく、洗濯機の外箱下端とダストカバーの被覆板の上面との間の隙間をできるだけ狭くすることが可能となって、外部から防水パン内に塵埃等の侵入を防止することができ、さらに、ダストカバーの被覆板を洗濯機の下端近傍部に達する高さ位置に設けてその下方に防水パンの底板上に洗濯機の排水ホースを容易に配設し得る広い空間を設けることができる。
【００１９】
また、防水パン内の排水口等の保守、点検等を行ったのち、ダストカバーを装着するには、ダストカバーの被覆板を前端から後端に向かって斜め下方に傾斜させた状態にして、洗濯機設置台上に設置している洗濯機の前面下端部の前方において上方に開口している左右の洗濯機設置台の前部上面間の空間を通じて洗濯機の外底面前端部の下方に向かって挿入し、洗濯機の外箱前方側に露呈している上記左右洗濯機設置台の前端部に設けている軸受凹部を目視しながら、この軸受凹部にダストカバーの被覆板の前端部両側端面に突設している短軸体を嵌め込むことによって簡単且つ確実に装着することができる。
【００２０】
請求項２に係る発明によれば、上記洗濯機設置台上に洗濯機を設置した際に生じる洗濯機の前面下端とダストカバーの被覆板の上面との間の空隙幅は、洗濯機設置台に設けている上記軸受凹部に対するダストカバーの被覆板に突設している短軸体の嵌合深さと同等ないしは狭い幅に形成しているので、上述したように、洗濯機の外箱下端とダストカバーの被覆板の上面との間の隙間を狭くして外部から防水パン内に塵埃等の侵入を防止することができ、且つ、排水ホース等を敷設する防水パンの底板上の空間を広くすることができる防水パンを提供することができる。
【００２１】
請求項３に係る発明によれば、上記ダストカバーにおける幕板の上端に、洗濯機設置台上に洗濯機を設置した際に生じる洗濯機の前面下端とダストカバーの被覆板の上面との間の空隙幅よりも突出高さが高い突条を突設しているので、この突条によって外部からダストカバーの被覆板上に塵埃等が直接入り込むのを阻止することができると共に、洗濯機設置台上に設置した洗濯機の前面下端とダストカバーの被覆板の上面との間の空隙を隠蔽して優れた外観を呈する防水パンを提供することができる。
【００２２】
請求項４に係る発明によれば、上記隣接する洗濯機設置台の下端部間における防水パンの底板の縁辺に防水壁を突設している一方、ダストカバーの幕板の下端に上記防水壁の内壁面に当接した可撓性を有する薄い垂下片を突設しているので、ダストカバーの幕板が上記軸受凹部と短軸体との嵌合部を支点として不測に前方に妄動するのを防止することができ、この幕板を正確な閉塞位置に保持しておくことができる。
【００２３】
また、ダストカバーの幕板の下端部を手前に引き寄せれば、垂下片が弾性的に撓みながら防水壁の上端面を乗り越えるので、ダストカバーの取り外しが容易に行える。このようなダストカバーの幕板の前方への妄動を防止するための構造としては、請求項５に記載したように、防水パンの底板の縁辺に突設している上記防水壁の上端に、その内面でダストカバー幕板の下端部外面を受止させた妄動阻止片を突設しておいてもよい。なお、ダストカバーの幕板を防水パン内に押し込もうとする外力が作用しても、上記軸受凹部と短軸体との嵌合部を支点としてダストカバーの被覆板が上方に僅かに回動した際に、この被覆板の後端が洗濯機の外底面に当接、受止され、外力が解かれると元の空間部閉塞位置に復帰するので、常に閉塞位置に確実に配設しておくことができる。
【図面の簡単な説明】
【００２４】
【図１】本発明洗濯機用防水パンの斜視図。
【図２】その分解斜視図。
【図３】前側に配設したダストカバー部分の拡大平面図。
【図４】ダストカバーの斜視図。
【図５】洗濯機を設置した状態の斜視図。
【図６】洗濯機を設置した状態における前側に配したダストカバー部分の拡大縦断側面図。
【図７】ダストカバーの取り外し開始時の縦断側面図。
【図８】ダストカバーの取り外し中間状態の縦断側面図。
【図９】ダストカバーを取り外した状態の縦断側面図。
【図１０】ダストカバーを装着している状態の斜視図。
【図１１】幕板下端に可撓性の垂下片を設けたダストカバーを装着している状態の縦断側面図。
【図１２】防水パンの底板の縁辺に突設した防水壁の上端に、ダストカバーの幕板の妄動阻止片を突設している状態の縦断側面図。
【図１３】本発明洗濯機用防水パンの別な実施例を示す斜視図。
【図１４】その前側に配したダストカバー部分の拡大縦断側面図。
【図１５】ダストカバーを取り外している状態の縦断側面図。
【発明を実施するための形態】
【００２５】
本発明の具体的な実施の形態を図面について説明すると、図１〜図５において、防水パン本体１はポリプロピレンやポリエチレン等の合成樹脂からなる成形品であって、洗濯機Ａの外郭を構成する直方体状の外箱A1における下端部の横断面積よりも一回り大きい一定厚みを有する平面矩形状の底板２と、この底板２の四隅部上に突設され、その上面3aを洗濯機Ａの設置面に形成している一定高さの洗濯機設置台３とを備えてあり、この防水パン本体１の前後左右に隣接する上記洗濯機設置台３、３において、少なくとも防水パン本体１の前側の左右隅部に突設している洗濯機設置台３、３の対向する内側面間に、この内側面間の空間部４を閉塞するダストカバー５が着脱自在に配設されていて、このダストカバー５と上記防水パン本体１とによって洗濯機用防水パンを構成している。
【００２６】
防水パン本体１の四隅部に突設している上記洗濯機設置台３は、平面四角形状に形成されてあり、防水パン本体１の角部に面した互いに直角に連設している外側壁面3b、3bは、その下端を防水パン本体１の角部の直角に隣接した縁辺部上端に連設していて、防水パン本体１の角部における直角に連なった端面にその壁面下端を面一状に連続させている。
【００２７】
さらに、各洗濯機設置台３において、上記外側壁面3b、3bと共に洗濯機設置台３の矩形枠状の周壁面を形成している互いに直角に連設した内側壁面3c、3cはその下端を防水パン本体１の底板２上に一体に連なってあり、前後左右に隣接する防水パン本体１の互いに平行に対向する内側壁面3c、3c間に上記空間部４が設けられている。また、内外壁面3b、3cで囲まれ洗濯機設置台３の上端には上面板が一体に設けられていて、この上面板の上面3aを上記洗濯機Ａの脚体設置面に形成している。
【００２８】
なお、各洗濯機設置台３における互いに直角に連なった上記外側壁面3b、3bの上端に、洗濯機設置台３の上記上面3aの直角に隣接する外側縁辺から上方に突出した一体高さの平面Ｌ字状の突条部3dを設けてられていて、洗濯機Ａからの溢水等がこの上面3a上に流下した際に防水パン本体１外に漏れるのを阻止するように構成している。
【００２９】
上記前後左右に隣接する洗濯機設置台３の下端部間における防水パン本体１の底板２の四方縁辺には、洗濯機Ａからの溢水等が底板２上に流れた際に防水パン本体１外に漏れるのを阻止する高さが洗濯機設置台３よりも低い突条からなる防水壁2aが突設されている。また、前側の左右に配設されている洗濯機設置台３、３間における防水パン本体１の底板２の前部中央には上下面間に亘って貫通した排水口６が設けられている。
【００３０】
さらに、防水パン本体１の前側に設けている左右に隣接する洗濯機設置台３、３において、これらの左右洗濯機設置台３、３間に設けている上記空間部４を介して対向する内側壁面3c、3cの上端縁における前端部に、空間部４と上方とに向かって開口している一定深さの軸受凹部７、７を穿設している。
【００３１】
この軸受凹部７、７を設けている洗濯機設置台３の前部は、四方の洗濯機設置台３の上面3aの中央部に洗濯機Ａの外底面四方から下方に向かって突設している脚体A2を載置してこれらの洗濯機設置台３上に洗濯機Ａを設置した際に、この洗濯機Ａの外箱A1の前面下端から前方に突出した位置になるように、上述したように、防水パン本体１の底板２の広さを洗濯機Ａの外箱A1の横断面積よりも一回り大きくし、この底板２の四隅部に洗濯機設置台３を設けた構造としている。
【００３２】
防水パン本体１の前側に配設した左右の洗濯機設置台３、３の対向する内側壁面3c、3c間の空間部４を閉塞する上記ダストカバー５は、上記左右の洗濯機設置台３、３の対向する内側壁面3c、3c間の空間部４における洗濯機設置台３、３の前面間の空間部4aを閉塞する幕板5aと、この幕板5aの上端から後方に向かった水平状に突設して上記空間部４における左右に隣接する洗濯機設置台３、３の上面間の空間部4bを閉塞する被覆板5bと備えた構造としている。
【００３３】
このダストカバー５における上記幕板5aは、その両側端面が左右の洗濯機設置台３の対向する内側壁面3c、3cの前端に接する左右方向の幅を有し、下端面が左右の洗濯機設置台３、３の前面下端部間において防水パン本体１の底板２の前側縁辺に突設した上記防水壁2aの上端面に当接する上下方向の幅を有していると共に、前面下端部に指掛け用凹部９を設けている。
【００３４】
一方、ダストカバー５における上記被覆板5bは、その両側端面が上記左右の洗濯機設置台３、３の対向する内側壁面3c、3cの前半部の上端に接する平面横長長方形状に形成されてあり、この被覆板5bの前端部における両側端面に、上記左右の洗濯機設置台３、３の対向する内側壁面3c、3cの上端縁における前端部に穿設している軸受凹部７、７に上方から嵌脱自在に嵌合する短軸体８、８を突設している。
【００３５】
この短軸体８、８は、その上面を被覆板5bの上面に面一状に連なり、下部を被覆板5bの下面から下方に突出している厚みを有し、且つ、上記軸受凹部７の深さよりも薄い厚みに形成している。なお、短軸体８、８は、図４に示すように、芯軸片8aと、この芯軸片8aに被嵌した小形角筒状の外被片8bとからなるが、このような芯軸片8aと外被片8bとの組み合わせによることなく、単一構造の短軸体８であってもよい。
【００３６】
また、短軸体８、８を軸受凹部７、７内に嵌入させてダストカバー５の幕板5aの下端面を防水パン本体１の底板２における前端縁辺側の防水壁2a上に当接、受止させることによりダストカバー５を左右の洗濯機設置台３、３間に装着した状態においては、ダストカバー５における被覆板5bの上面は左右の洗濯機設置台３の上面3aよりも数ミリ（２ミリ〜５ミリ）程度、低くなるように形成されている。この場合、左右の洗濯機設置台３の内側壁面3cの上端に連なる上面3aの縁辺部を下方に向かって緩やかに傾斜した傾斜縁辺3a' に形成し、この傾斜縁辺3a' の下傾端に上記ダストカバー５の被覆板5bの上面端縁が接合可能な状態に配して被覆板5bの高さ位置を設定しているが、後述するように、洗濯機設置台３の上面3aとダストカバー５の被覆板5bの上面とは同じ高さ位置となるように構成しておいてもよい。
【００３７】
上記防水パン本体１の底板２の四隅部に突設した洗濯機設置台３上に洗濯機Ａの下端に突設している脚体A2を載置してこれらの洗濯機設置台３上に洗濯機Ａを設置すると、洗濯機Ａの外箱A1の下端とダストカバー５の上面との間に、洗濯機Ａの外箱A1の下端から突出した脚体A2の突出長以上の空隙10が生じるが、この空隙10の上下幅は、洗濯機設置台３に設けている上記軸受凹部７に対する短軸体８の嵌合深さ、即ち、軸受凹部７の上端開口部とこの軸受凹部７に嵌入した短軸体８の下端面との間の上下幅と同等ないしは狭い幅に形成して、ダストカバー５の被覆板5bをできるだけ洗濯機Ａの下端に接近させた構造としている。
【００３８】
また、ダストカバー５における幕板5aの上端には、被覆板5bの前端から上方に突出した一定高さの突条5a' が突設されてあり、この突条5a' の突出高さは上記洗濯機Ａの外箱A1起の下端とダストカバー５の被覆板5bの上面との間の上記空隙10の上下幅よりも高くしている。
【００３９】
なお、ダストカバー５は、前後左右に隣接する洗濯機設置台３における前側に配された左右に隣接する洗濯機設置台３、３の対向する内側壁面3c、3c間の空間部４に該空間部４を閉塞するように設けているが、防水パン本体１の左右側に配設された前後に隣接する洗濯機設置台３、３間、及び、防水パン本体１の後側に配設された左右に隣接する洗濯機設置台３、３間においても、対向する洗濯機設置台３、３の内側壁面3c、3c間の空間部４を閉塞するようにダストカバー５を着脱自在に装着しておいてもよい。
【００４０】
これらのダストカバー５の装着構造は上記前側の空間部４を閉塞しているダストカバー５の装着構造と同じであり、例えば、防水パン本体１の左右側に配設された前後に隣接する洗濯機設置台３、３においては、空間部４を介して対向する内側壁面3c、3cの上端縁における外端部に空間部４と上方とに向かって開口している一定深さの軸受凹部７、７を穿設している一方、ダストカバー５の被覆板5bの外端部における両側端面に、上記左右の洗濯機設置台３、３に穿設している軸受凹部７、７に上方から嵌脱自在に嵌合する短軸体８、８を突設している。これらの軸受凹部７と短軸体８との嵌合部分は上記同様に洗濯機設置台３上に設置した洗濯機Ａの外箱A1の下端に対して外方に位置している。その他の構成については上記同様であるので、同一部分に同一符号を付して詳細な説明を省略する。
【００４１】
このように構成した防水パンにおける防水パン本体１の四隅部に設けた洗濯機設置台３上に回転ドラム式の洗濯機Ａを、その外底面に突設している四本の脚体A2をそれぞれ洗濯機設置台３の上面3a中央部に載せることにより設置すると、防水パン本体１の底板２は洗濯機Ａの外箱A1の横断面積よりも一回り大きい広さに形成され、この底板２の四隅部に洗濯機設置台３を設けているので、前側に配された左右に隣接する洗濯機設置台３、３においては、対向する内側壁面3c、3cの上端縁の前端部に穿設している軸受凹部７を有する前部と、この軸受凹部７に嵌合している短軸体８を設けたダストカバー５の前部とが、図３、図６に示すように、洗濯機設置台３上に設置した洗濯機Ａの外箱A1の前面下端から前方の位置に設けられた状態となる。
【００４２】
即ち、上記軸受凹部７と短軸体８との嵌合部分は、洗濯機Ａの外箱A1の下端から前方に適宜間隔を存したところに位置することなる。防水パン本体１の左右に配設した前後に隣接する洗濯機設置台３、３間の空間部、及び，防水パン本体１の後側に配設した左右に隣接する洗濯機設置台３、３間の空間部にそれぞれ設けているダストカバー５においても同様である。
【００４３】
防水パン本体１に設けている排水口６などの点検等のために、上記前側に配設しているダストカバー５を取り外すには、このダストカバー５の前面下端部に設けている指掛け用凹部９に指先を引っ掛けて図６の矢印に示すようにダストカバー５の前半部を上方に持ち上げると、上記軸受凹部７と短軸体８との嵌合部分の上方にはダストカバー５の持ち上げを阻止する障害物が何等存在しないので、洗濯機設置台３側に設けている軸受凹部７からダストカバー５側に設けている短軸体８が軸受凹部７との嵌合を解除する方向に上動しながらダストカバー５の被覆板5bの前部上面が洗濯機Ａの外箱A1の前面下端に当接する。
【００４４】
この際、ダストカバー５における被覆板5bの上面は左右の洗濯機設置台３の上面3aよりも数ミリ程度、低くなる位置に設けているので、上記短軸体８が全長に亘って軸受凹部７の内面に全面的に接するように形成されていても、ダストカバー５の取り外し開始時に、まず、短軸体８を軸受凹部７の内面に摺接させながらダストカバー５の上面中央部が洗濯機Ａの外箱A1の前面下端に当接するまで短軸体８を垂直上方に移動させてこの短軸体８の先端部（下端部）を軸受凹部７の上端部に位置させ、しかるのち、図７に示すように、ダストカバー５の前端側をさらに上方に持ち上げると、上記当接部を支点としてテコ作用により、ダストカバー５の被覆板5bの前部が上方に回動する一方、後部が下方に回動して、短軸体８が軸受凹部７に引っ掛かることなく軸受凹部７から円滑に上方に離脱させることができる。
【００４５】
この状態にしてダストカバー５を図８、図９に示すように、手前に引き寄せれば、左右に隣接する洗濯機設置台３、３間からダストカバー５が取り外され、空間部４を全面的に開放させることができる。
【００４６】
次に、洗濯機設置台３上に洗濯機Ａを設置した状態で、上記左右の洗濯機設置台３、３間の空間部４にダストカバー５を装着して、この空間部４を閉塞するには、ダストカバー５の被覆板5bの後部を図10に示すように、洗濯機Ａの外箱A1の前面下端から洗濯機設置台３、３間の上方空間部4b内に挿入し、洗濯機Ａの外箱A1の下端に対して前方側に露呈している上記左右の洗濯機設置台３、３の前端部に設けている上記軸受凹部７、７を目視しながら、ダストカバー５の両側端面の前端部に突設している上記短軸体８、８を軸受凹部７、７の上方に位置させたのち、ダストカバー５を下げて短軸体８、８を軸受凹部７、７に嵌合させれば、ダストカバー５により空間部５を閉塞することができる。
【００４７】
なお、洗濯機設置台３、３間の空間部４にダストカバー５を装着してこの空間部４をダストカバー５によって閉塞している状態において、ダストカバー５の幕板5aにこの幕板5aを防水パン本体１側に向かって内方に押し進めようとする外力が作用しても、ダストカバー５の被覆板5bが上記軸受凹部７に嵌合している短軸体８を支点として、上方に僅かに回動すると、被覆板5bの後端が洗濯機Ａの外底面に当接、受止されてそれ以上の回動を阻止されるが、ダストカバー５の幕板5aが被覆板5bの重量等によって上記軸受凹部７と短軸体８との嵌合部を支点として前方に回動するように構成されている場合には、この回動を阻止するために、図11に示すように、ダストカバー５の幕板5aの下端に、左右に隣接する洗濯機設置台３、３の下端部間における防水パン本体１の前端縁部に突設している上記防水壁2aの内壁面に当接する可撓性を有する薄い垂下片11を突設しておくことが望ましい。
【００４８】
このように構成しておくと、防水パン本体１の前端縁部に突設している防水壁2aの内壁面に当接した垂下片11によってダストカバー５の幕板5aが不測に前方に回動するのを防止することができる。なお、ダストカバー５のこのような妄動を防止するには、垂下片11によることなく、例えば、ダストカバー５の幕板5aの下端面とこの下端面を受止する上記防水壁2aの上端面とのいずれか一方に深さが浅い凹溝を、他方にこの凹溝に係脱可能に係止する突起ないしは突条を設けておいてもよく、或いは、図12に示すように、防水パン本体１の縁片に突設している防水壁2aの上端に上方に向かって阻止片12を突設しておき、この阻止片12の内面にダストカバー５の幕板5aの下端部外面を受止させて幕板5aの前方への妄動を阻止するように構成しておいてもよい。
【００４９】
上記実施例においては、ダストカバー５を左右の洗濯機設置台３、３間に装着した状態において、ダストカバー５における被覆板5bの上面が左右の洗濯機設置台３の上面3aよりも数ミリ（２ミリ〜５ミリ）程度、低くなるように構成しているが、図13、図14に示すように、洗濯機設置台３の上面3aとダストカバー５の被覆板5bの上面とが同じ高さ位置となるように構成しておいてもよい。このように構成すると、洗濯機Ａの外箱A1の下端と、ダストカバー５の被覆板5bの上面間の空隙10の上下幅を洗濯機Ａの外箱A1の下端からの洗濯機Ａの脚体A2の突出長に等しくすることができ、脚体A2を殆ど外部から見えなくなるように外箱A1の下端部を下方に大きく垂下させている洗濯機Ａを洗濯機設置台３上に設置した場合には、上記空隙10の上下幅を極めて狭き幅にすることができる。
【００５０】
そして、このように構成したので、防水パン本体１に設けている排水口６などの点検等のために、上記前側に配設しているダストカバー５を取り外すには、このダストカバー５の前面下端部に設けている指掛け用凹部９に指先を引っ掛けてダストカバー５を僅かに上方に持ち上げると、短軸体８が軸受凹部７から離脱する前にダストカバー５の被覆板5bの前部上面が洗濯機Ａの外箱A1の前面下端に当接する。
【００５１】
この状態から、ダストカバー５の前端側をさらに上方に持ち上げると、図15に示すように、上記当接部を支点としてテコ作用により、ダストカバー５の被覆板5bの前部が上方に回動しながら、短軸体８を軸受凹部７から離脱させる一方、後部が下方に回動し、この状態にしてダストカバー５を手前に引き寄せれば、左右に隣接する洗濯機設置台３、３間からダストカバー５が取り外され、空間部４を全面的に開放させることができる。なお、この実施例においては、短軸体８の形状を軸受凹部７よりも小形にして軸受凹部７に遊嵌させるように構成しておくことが好ましく、このように構成しておけば、短軸体８を軸受凹部７に引っ掛からせることなく軸受凹部７から離脱させることができる。
【符号の説明】
【００５２】
１  防水パン本体
２  底板
３  洗濯機設置台
４  空間部
５  ダストカバー
5a  幕板
5b  被覆板
６  排水口
７  軸受凹部
８  短軸体
10  空隙
11  垂下片
Ａ  洗濯機
A1  外箱
A2  脚体
【図１】
2018080448.tif 000003
【図２】
2018080448.tif 000004
【図３】
2018080448.tif 000005
【図４】
2018080448.tif 000006
【図５】
2018080448.tif 000007
【図６】
2018080448.tif 000008
【図７】
2018080448.tif 000009
【図８】
2018080448.tif 000010
【図９】
2018080448.tif 000011
【図１０】
2018080448.tif 000012
【図１１】
2018080448.tif 000013
【図１２】
2018080448.tif 000014
【図１３】
2018080448.tif 000015
【図１４】
2018080448.tif 000016
【図１５】
2018080448.tif 000017